(57)【要約】【課題】永久磁石による吸着力を大きくすることができ、小型化された釈放形電磁装置を提供する。【解決手段】釈放形電磁装置は、永久磁石２と、永久磁石２の一方側に位置し、かつ永久磁石２に対して移動可能な可動子４と、永久磁石２を基準として、少なくとも可動子４の反対側に位置する部分を有するヨーク３とを備えている。ヨーク３は、永久磁石２から出た磁束がヨーク３および可動子４の内部を通って永久磁石２に戻る吸着磁路を形成するよう構成されており、かつ永久磁石２の他方側の側部２ａに切り欠き部６を有する。【選択図】図３
2010287674.tif 000002
【特許請求の範囲】
【請求項１】
永久磁石と、
前記永久磁石の一方側に位置し、かつ前記永久磁石に対して移動可能な可動子と、
前記永久磁石を基準として、少なくとも前記可動子の反対側に位置する部分を有するヨークとを備え、
前記ヨークは、前記永久磁石から出た磁束が前記ヨークおよび前記可動子の内部を通って前記永久磁石に戻る吸着磁路を形成するよう構成されており、かつ前記永久磁石の他方側の側部に切り欠き部を有する、釈放形電磁装置。
【請求項２】
前記切り欠き部は前記永久磁石の他方側の側部の全面が露出する大きさに形成されており、前記ヨークは前記永久磁石上に位置する部分を有する、請求項１に記載の釈放形電磁装置。
【請求項３】
前記ヨークに対して着脱可能な磁性体からなる接極子をさらに備え、
前記接極子が、前記吸着磁路において前記可動子と前記ヨークとの間に配置されている、請求項１または２に記載の釈放形電磁装置。
【請求項４】
前記ヨークに対して着脱可能な非磁性体をさらに備え、
前記非磁性体が、前記吸着磁路において前記可動子と前記ヨークとの間に配置されている、請求項１〜３のいずれかに記載の釈放形電磁装置。
【請求項５】
前記ヨークに対して着脱可能な前記可動子より径の小さな磁性材をさらに備え、
前記磁性材が、前記吸着磁路において前記可動子と前記ヨークとの間に配置されている、請求項１〜４のいずれかに記載の釈放形電磁装置。
【請求項６】
前記ヨークに対して着脱可能な磁性体をさらに備え、
前記磁性体が、前記切り欠き部の一部に配置されている、請求項１〜５のいずれかに記載の釈放形電磁装置。
【請求項７】
前記ヨークは、前記ヨークと前記可動子との間の空間に通じる開口部を有し、
前記永久磁石が前記開口部を通じて前記ヨークと前記可動子との間に着脱可能に配置されている、請求項１〜６のいずれかに記載の釈放形電磁装置。
【発明の詳細な説明】
【技術分野】
【０００１】
本発明は、磁束がヨークおよび可動子の内部を通って永久磁石に戻る吸着磁路を有する釈放形電磁装置に関するものである。
【背景技術】
【０００２】
電力送配電系統用遮断器では、接点の引き外しのために釈放形電磁石を用いた機構が使われている。この釈放形電磁石を用いた機構は、外部信号によって動作し、この釈放形電磁石を用いた機構の動作をトリガとして遮断器本体が動作する。
【０００３】
たとえば、特開２００７−２５８１５０号公報（特許文献１）には、遮断器の引外し装置として釈放形電磁装置が記載されている。この釈放形電磁装置では、コイルが巻き回されたコイル用ボビンが三面体からなる継鉄内に収容されている。継鉄上には継鉄の両脚に橋絡された継鉄片が配置されている。継鉄の底には磁性体からなる固定接極子が設けられている。コイル用ボビンに挿通され、継鉄片上に突出自在に構成された可動接極子が、固定接極子と対向配置されている。
【０００４】
コイル用ボビン下には軸線方向に磁化された中空円筒形の永久磁石が、固定接極子および可動子の周囲に配置されている。永久磁石の磁化方向に垂直な面には、磁性体からなる鉄片が装着されている。可動接極子の先端には係止部が設けられ、継鉄片と係止部との間には、可動接極子の突出方向に可動接極子を付勢する引外しばねが介在している。
【０００５】
永久磁石は可動接極子の突出方向と反対方向に吸引することで引外しばねのばね力に対抗して、突出方向と反対方向に可動接極子を引き戻そうとする。可動接極子の突出方向と反対方向への永久磁石の吸引力は、可動接極子の突出方向への引外しばねのばね力より大きくなるように設定される。これにより可動接極子が永久磁石にて吸引保持される。
【０００６】
可動接極子が永久磁石にて吸引保持されている状態では、永久磁石の磁束は、永久磁石のＮ極から鉄片を介して可動接極子の周面に入り、さらに可動接極子の先端に設けられた小径部を介して固定接極子に入り、固定接極子から継鉄の底面を経由して永久磁石のＳ極に戻る経路をとる。
【０００７】
この吸引状態において引外し信号によりコイルに通電されると、永久磁石の磁力が打ち消されるように磁束が発生し、継鉄から可動接極子を経由するルートに流れる。この引外し状態では、コイルにて発生された磁束は、永久磁石を迂回して継鉄の底面から固定接極子を介して小径部に入り、さらに小径部から可動接極子を経由して継鉄片に入り、継鉄片から継鉄に戻る経路をとる。これにより可動子が突出方向へ突出する。
【先行技術文献】
【特許文献】
【０００８】
【特許文献１】特開２００７−２５８１５０号公報
【発明の概要】
【発明が解決しようとする課題】
【０００９】
上記公報の釈放形電磁装置では、吸着力を増やすために永久磁石を大きくする場合、径方向に大きくすると永久磁石が継鉄と接近するので永久磁石の磁束が継鉄に漏洩する。したがって、永久磁石を軸方向に大きくするしかなかった。しかし、永久磁石が軸方向に大きくされると釈放形電磁装置全体が軸方向に大きくなるという問題がある。
【００１０】
また、遮断器の種類に対応して使用される引き外しばねのばね力が違うが、釈放形電磁石の吸着力を変更、調整することが想定されていないという問題がある。
【００１１】
また、仮に吸着力を変更、調整することが想定され、そのために永久磁石を交換する場合には、分解、再組み立てが必要となり、作業工程が多くなるという問題がある。
【００１２】
本発明は、上記課題に鑑みてなされたものであり、その目的は、永久磁石による吸着力を大きくすることができ、小型化された釈放形電磁装置を提供することである。
【課題を解決するための手段】
【００１３】
本発明の釈放形電磁装置は、永久磁石と、永久磁石の一方側に位置し、かつ永久磁石に対して移動可能な可動子と、永久磁石を基準として、少なくとも可動子の反対側に位置する部分を有するヨークとを備えている。ヨークは、永久磁石から出た磁束がヨークおよび可動子の内部を通って永久磁石に戻る吸着磁路を形成するよう構成されており、かつ永久磁石の他方側の側部に切り欠き部を有する。
【発明の効果】
【００１４】
本発明の釈放形電磁装置によれば、永久磁石の他方側の側部に切り欠き部を有するため、永久磁石を径方向に大きくすることができるので、永久磁石の磁束量を増やすことができる。これにより、永久磁石による吸着力を大きくすることができる。よって、釈放形電磁装置を小型化することができる。
【図面の簡単な説明】
【００１５】
【図１】本発明の一実施の形態の釈放形電磁装置を概略的に示す正面図である。
【図２】本発明の一実施の形態の釈放形電磁装置を概略的に示す側面図である。
【図３】図２におけるＩＩＩ−ＩＩＩ線に沿った断面図である。
【図４】本発明の一実施の形態の釈放形電磁装置を概略的に示す斜視図であって、主にコイルを示す斜視図である。
【図５】本発明の一実施の形態の釈放形電磁装置を概略的に示す斜視図であって、主に切り欠き部を示す斜視図である。
【図６】図２におけるＩＩＩ−ＩＩＩ線に沿った断面図であって、コイルが励磁された場合の磁束を示す断面図である。
【図７】本発明の一実施の形態の釈放形電磁装置の変形例１を概略的に示す断面図であって、図２におけるＩＩＩ−ＩＩＩ線に沿った断面図である。
【図８】本発明の一実施の形態の釈放形電磁装置の変形例２を概略的に示す断面図であって、図２におけるＩＩＩ−ＩＩＩ線に沿った断面図である。
【図９】本発明の一実施の形態の釈放形電磁装置の変形例３を概略的に示す断面図であって、図２におけるＩＩＩ−ＩＩＩ線に沿った断面図である。
【図１０】本発明の一実施の形態の釈放形電磁装置の変形例４を概略的に示す斜視図であって、永久磁石が取り付けられる様子を示す斜視図である。
【発明を実施するための形態】
【００１６】
以下、本発明の一実施の形態について図に基づいて説明する。
最初に、本発明の一実施の形態の釈放形電磁装置の構成について説明する。
【００１７】
図１〜図３を参照して説明する。本発明の一実施の形態の釈放形電磁装置１は、永久磁石２と、ヨーク３と、可動子４と、接極子５と、非磁性体７と、ボビン８と、コイル９と、引き外しばね１０と、ばね押さえ１１とを主に有している。
【００１８】
ヨーク３は、蓋面に孔３ｂ１を有する四面体からなっている。その四面体の内側の空間に永久磁石２と、接極子５と、非磁性体７と、ボビン８と、コイル９と、可動子４の一部とが配置されている。永久磁石２の一方側に接極子５と、非磁性体７と、可動子４が配置されている。永久磁石２の他方側にヨーク３の一部が配置されている。永久磁石２の厚さ方向にボビン８とコイル９とが配置されている。可動子４の一方端部がヨーク３の蓋面の孔３ｂ１から突出するよう構成されている。可動子４の一方端部の先端部にはばね押さえ１１が取り付けられている。ヨーク３とばね押さえ１１との間に引き外しばね１０が配置されている。
【００１９】
ヨーク３は、永久磁石２の磁束を通す磁路を形成するよう構成されている。ヨーク３は、永久磁石２から出た磁束がヨーク３および可動子４の内部を通って永久磁石２に戻る吸着磁路を形成するよう構成されている。ヨーク３は、コイル９が励磁されることにより発生する磁束を通す磁路を形成するよう構成されている。
【００２０】
ヨーク３は、永久磁石２を基準として、少なくとも可動子４の反対側に位置する部分を有している。ヨーク３は、ヨーク外側部３ａと、ヨーク蓋面部３ｂと、ヨーク内側部３ｃとを有している。
【００２１】
ヨーク外側部３ａは、四面体の側面部３ａ１と底面部３ａ２とからなっている。ヨーク外側部３ａは、側面部３ａ１の一方端の中央部に突起部１２を有している。ヨーク外側部３ａの側面部３ａ１が永久磁石２を基準として可動子４の反対側に位置している。ヨーク外側部３ａは、その側面部３ａ１の他方端の中央部に切り欠き部６を有している。切り欠き部６は、永久磁石２の他方側の側部２ａの全面が露出する大きさに形成されている。切り欠き部６は永久磁石２の一方面に相当する高さで形成されている。これにより、永久磁石２を径方向に大きくしても、永久磁石２とヨーク外側部３ａの側面部３ａ１とが接しない。そのため永久磁石２の磁束がヨーク外側部３ａの側面部３ａ１に漏洩しないので永久磁石２を径方向に大きくすることができる。
【００２２】
ヨーク蓋面部３ｂは、四面体の蓋面の部分からなっている。ヨーク蓋面部３ｂは外周部に溝１３を有している。ヨーク外側部３ａの突起部１２とヨーク蓋面部３ｂの溝１３とが嵌合するよう構成されている。これにより、ヨーク蓋面部３ｂはヨーク外側部３ａの両端を橋絡するよう構成されている。ヨーク蓋面部３ｂは、可動子４が往復するための孔３ｂ１を中央部に有している。ヨーク蓋面部３ｂは、可動子４に沿って可動子４の一方端部に向かって伸びるよう構成されている。
【００２３】
ヨーク内側部３ｃは、ヨーク外側部３ａの内側に配置されている。ヨーク内側部３ｃは、ヨーク外側部３ａと接して配置されている。なお、ヨーク内側部３ｃは、ヨーク外側部３ａと接して配置されていなくてもよい。ヨーク内側部３ｃは、永久磁石２の一方面上に配置されている。ヨーク内側部３ｃは、永久磁石２上に位置する部分を有している。これにより、永久磁石２からヨーク外側部３ａの側面部３ａ１に入る磁束の磁気抵抗が減少する。
【００２４】
永久磁石２は、ヨーク３に対して可動子４を吸引するよう構成されている。永久磁石２は、ヨーク外側部３ａの底面部３ａ２に他方面が接して配置されている。なお、永久磁石２は、ヨーク外側部３ａの底面部３ａ２に他方面が接して配置されていなくてもよい。永久磁石２は、たとえば円筒形状に形成されている。永久磁石２は、厚み方向に磁化されている。たとえば、永久磁石２の一方面がＮ極となり、他方面がＳ極となるように磁化されている。
【００２５】
平面視におけるヨーク外側部３ａの底面部３ａ２の中央部に接極子５が配置されている。接極子５は、ヨーク外側部３ａの底面部３ａ２に一方面が接して配置されている。なお、接極子５は、ヨーク外側部３ａの底面部３ａ２に一方面が接して配置されていなくてもよい。接極子５は、ヨーク３に対して着脱可能に構成されている。接極子５は、磁性体からなっている。これにより、接極子５を着脱することおよび接極子５の形状、材質などを変更することができるので可動子４を吸着する吸着力が調整され得る。接極子５は、たとえばボビン８に形成された爪に着脱可能に取り付けられている。たとえば、接極子５の厚さは、永久磁石２の厚さとヨーク内側部３ｃの厚さとをあわせた厚さと同様の厚さを有している。接極子５は、永久磁石２より厚く構成されている。
【００２６】
接極子５の他方面上に非磁性体７が配置されている。非磁性体７は、ヨーク３に対して着脱可能に構成されている。これにより、非磁性体７を着脱することおよび非磁性体７の形状、材質などを変更することができるので可動子４を吸着する吸着力が調整され得る。
【００２７】
接極子５の他方面上に非磁性体７を介して可動子４の他方端部が対向して配置されている。可動子４は、永久磁石２に対して移動可能に構成されている。可動子４の一方端部は小径部４ａを有している。この小径部４ａの先端部にばね押さえ１１が取り付けられている。ばね押さえ１１とヨーク３の蓋面との間に引き外しばね１０が伸縮可能に配置されている。
【００２８】
可動子４は、永久磁石２の内周側に配置されている。ヨーク内側部３ｃが永久磁石２に一方面を接して配置されている。ヨーク内側部３ｃの他方面上にボビン８が配置されている。ボビン８にはコイル９が巻き回されている。ボビン８は、たとえば樹脂で形成されている。ボビン８上にヨーク蓋面部３ｂが配置されている。可動子４は、ヨーク内側部３ｃ、ボビン８およびヨーク蓋面部３ｂを挿通している。
【００２９】
可動子４は、永久磁石２の吸引力によって非磁性体７を介して接極子５に吸着されている。吸着面はヨーク内側部３ｃの他方面より可動子４の一方端部側に位置している。この吸着された状態では永久磁石２の吸引力が引き外しばね１０のばね力より大きいため引き外しばね１０は圧縮されている。コイル９は、通電されることにより励磁されて永久磁石２の磁力を打ち消す磁束を発生するよう構成されている。これにより、永久磁石２の磁力より引き外しばね１０のばね力が大きくなり、可動子４が非磁性体７から可動子４の一方端部側に離れるよう構成されている。このようにして可動子４は、永久磁石２に対して移動するよう構成されている。
【００３０】
図４および図５を参照して、コイル９がヨーク蓋面部３ｂとヨーク内側部３ｃとの間で可動子４を取り囲むように円筒形状で構成されている。切り欠き部６がヨーク外側部３ａをその厚さ方向に貫通するよう形成されている。図４および図５は、見やすくするためボビン８など一部の構成を省略した図である。さらに見やすくするためコイル９以外は４分の１の構成が記載されている。
【００３１】
次に、本発明の一実施の形態の釈放形電磁装置の動作について説明する。
図３を参照して、可動子４の吸着動作について説明する。可動子４は、永久磁石２が発生する磁束によって非磁性体７を介して接極子５に吸着される。この吸着状態では、磁路Ｍ１、磁路Ｍ２および磁路Ｍ３との３つの磁路が形成される。釈放形電磁装置１は、図中左右対称に構成されているので説明のため磁路は片側の磁路のみ示されている。
【００３２】
磁路Ｍ１では磁束は、永久磁石２→ヨーク内側部３ｃ→ヨーク外側部３ａの側面部３ａ１→ヨーク蓋面部３ｂ→可動子４→非磁性体７→接極子５→ヨーク外側部３ａの底面部３ａ２→永久磁石２を通る。つまり磁束は、永久磁石２のＮ極からヨーク内側部３ｃと、ヨーク外側部３ａの側面部３ａ１と、ヨーク蓋面部３ｂとを通り、可動子４の周面に入る。さらに磁束は、可動子４から非磁性体７を介して接極子５を通り、ヨーク外側部３ａの底面部３ａ２を経由して永久磁石２のＳ極に戻る。
【００３３】
磁路Ｍ２では磁束は、永久磁石２→ヨーク内側部３ｃ→接極子５→ヨーク外側部３ａの底面部３ａ２→永久磁石２を通る。つまり磁束は、永久磁石２のＮ極からヨーク内側部３ｃを通り、接極子５の周面に入る。さらに磁束は、接極子５からヨーク外側部３ａの底面部３ａ２を通り、永久磁石２のＳ極に戻る。
【００３４】
磁路Ｍ３では磁束は、永久磁石２→ヨーク内側部３ｃ→ヨーク外側部３ａの側面部３ａ１→ヨーク外側部３ａの底面部３ａ２→永久磁石２を通る。つまり磁束は、永久磁石２のＮ極からヨーク内側部３ｃを通り、ヨーク外側部３ａの側面部３ａ１に入る。さらに磁束は、ヨーク外側部３ａの側面部３ａ１の切り欠き部６の両側からヨーク外側部３ａの底面部３ａ２を通り、永久磁石２のＳ極に戻る。
【００３５】
磁路Ｍ１は、可動子４を吸着する吸着磁路を形成する。磁路Ｍ２と磁路Ｍ３とは、可動子４を吸着するための磁束が漏洩するので漏洩磁路を形成する。切り欠き部６が形成されているため、切り欠き部６が形成されていない場合に比べて磁路Ｍ３の磁気抵抗が大きくなるので可動子４を吸着する吸着力が増大する。
【００３６】
図６を参照して、可動子４の引き外し動作について説明する。コイル９が通電されることによってコイル９が励磁されて永久磁石２の磁力が打ち消されるように磁束が発生する。これにより、永久磁石２の磁力より引き外しばね１０のばね力が大きくなり可動子４が引き外される。そのため可動子４がばね力によって可動子４の一方端部側へ移動する。この引き外し状態では、磁路Ｍ４および磁路Ｍ５の２つの磁路が形成される。釈放形電磁装置１は図中左右対称に構成されているので、説明のため磁路は片側の磁路のみ示されている。
【００３７】
磁路Ｍ４では磁束は、可動子４→ヨーク蓋面部３ｂ→ヨーク外側部３ａの側面部３ａ１→ヨーク外側部３ａの底面部３ａ２→接極子５→非磁性体７→可動子４を通る。つまり磁束は、可動子４からヨーク蓋面部３ｂに入り、ヨーク外側部３ａの側面部３ａ１を通って、ヨーク外側部３ａの側面部３ａ１の切り欠き部６の両側からヨーク外側部３ａの底面部３ａ２に入る。さらに磁束は、ヨーク外側部３ａの底面部３ａ２から接極子５に入り、非磁性体７を介して可動子４に戻る。
【００３８】
磁路Ｍ５では磁束は、可動子４→ヨーク蓋面部３ｂ→ヨーク外側部３ａの側面部３ａ１→ヨーク内側部３ｃ→接極子５→非磁性体７→可動子４を通る。つまり磁束は、可動子４からヨーク蓋面部３ｂに入り、ヨーク外側部３ａの側面部３ａ１を通り、ヨーク内側部３ｃに入る。さらに磁束は、ヨーク内側部３ｃから接極子５に入り、非磁性体７を介して可動子４に戻る。
【００３９】
接極子５が着脱可能に構成されているため、接極子５を着脱することおよび接極子５の形状、材質などを変更することができる。たとえば接極子５の他方面をヨーク内側部３ｃの他方面より可動子４の一方端部側に形成することにより磁路Ｍ２を通る磁束量が増加する。このため可動子４を吸着する吸着力が減少する。このようにして接極子５によって吸着磁路の磁気抵抗を変化させることができるので可動子４を吸着する吸着力が調整され得る。
【００４０】
また、非磁性体７が着脱可能に構成されているため、非磁性体７を着脱することおよび非磁性体７の形状、材質などを変更することができる。たとえば非磁性体７の厚みを大きくすることによって吸着面の磁気ギャップが大きくなるため可動子４を吸着する吸着力が減少する。一方、非磁性体７の厚みを小さくすることによって吸着面の磁気ギャップが小さくなるため可動子４を吸着する吸着力が増加する。このようにして非磁性体７によって吸着磁路の磁気抵抗を変化させることができるので可動子４を吸着する吸着力が調整され得る。
【００４１】
なお、上記では、可動子４とヨーク外側部３ａの底面部３ａ２との間に接極子５が配置されているが、図７に示す変形例１のように接極子５が配置されていなくてもよい。図７を参照して、変形例１ではヨーク外側部３ａの底面部３ａ２上に非磁性体７を介して可動子４が配置されている。
【００４２】
磁路Ｍ１では磁束は、永久磁石２→ヨーク内側部３ｃ→ヨーク外側部３ａの側面部３ａ１→ヨーク蓋面部３ｂ→可動子４→非磁性体７→ヨーク外側部３ａの底面部３ａ２→永久磁石２を通る。つまり磁束は、永久磁石２のＮ極からヨーク内側部３ｃと、ヨーク外側部３ａの側面部３ａ１と、ヨーク蓋面部３ｂとを通り、可動子４の周面に入る。さらに磁束は、可動子４から非磁性体７を介してヨーク外側部３ａの底面部３ａ２を通り永久磁石２のＳ極に戻る。
【００４３】
磁路Ｍ２では磁束は、永久磁石２→ヨーク内側部３ｃ→可動子４→非磁性体７→ヨーク外側部３ａの底面部３ａ２→永久磁石２を通る。つまり磁束は、永久磁石２のＮ極からヨーク内側部３ｃを通り、可動子４の周面に入る。さらに磁束は、可動子４から非磁性体７を介してヨーク外側部３ａの底面部３ａ２を通り、永久磁石２のＳ極に戻る。なお、磁路Ｍ３は本発明の一実施の形態と同様である。
【００４４】
変形例１では、ヨーク外側部３ａの底面部３ａ２と非磁性体７を介した可動子４との吸着面がヨーク内側部３ｃの他方面よりヨーク外側部３ａの底面部３ａ２側に位置しているため、磁路Ｍ２が可動子４を吸着する吸着磁路を形成する。これにより、可動子４を吸着する吸着力が増加する。また、コイル９が励磁された場合、磁路Ｍ５（図６）に対応する磁路は漏洩磁路になる。したがって、コイル９が励磁されても永久磁石２の磁束を打ち消すように作用しないので磁路Ｍ５に対応する磁路によって永久磁石２の磁束は減少しない。一方、コイル９が励磁された場合、磁路Ｍ５に対応する磁路は漏洩磁路になるので、可動子４を引き外すために必要な電流（釈放電流）の値は増加する。
【００４５】
また、上記では、可動子４と接極子５との間に非磁性体７が配置されているが、図８に示す変形例２のように可動子４とヨーク外側部３ａの底面部３ａ２との間に接極子５を介して磁性材２１が配置されていてもよい。図８を参照して、変形例２では磁性材２１は、ヨーク３に対して着脱可能に構成されている。磁性材２１の径が可動子４の径より小さく形成されている。
【００４６】
したがって、磁性材２１中の磁束密度が大きくなり非磁性体７を配置した場合と等価な磁気ギャップが作られ得る。このようにして磁性材２１の径などの形状を変更することで吸着面の磁気抵抗を変化させることができるため可動子４を吸着する吸着力が調整され得る。また、磁性材２１を飽和させることにより吸着力を減少させることができる。これにより、可動子４を吸着する吸着力が調整され得る。
【００４７】
また、上記では、ヨーク３の切り欠き部６がヨーク外側部３ａの側面部３ａ１の他方端から底面部３ａ２にわたって形成されており、切り欠き部６には何も配置されていないが、図９に示す変形例３のように切り欠き部６の一部に磁性体３１が配置されていてもよい。図９を参照して、変形例３では磁性体３１は、ヨーク３に対して着脱可能に構成されている。
【００４８】
磁性体３１は、たとえばヨーク外側部３ａの底面部３ａ２と同様の高さと、側面部３ａ１と同様の厚みと、切り欠き部６と同様の幅とを有している。この磁性体３１が、たとえば側面部３ａ１他方端の切り欠き部６に配置されて、ねじなどによってヨーク３に取り付けられる。これにより、切り欠き部６の面積が小さくなるため磁路Ｍ３の磁気抵抗が小さくなるので可動子４を吸着する吸着力が減少する。このようにして、切り欠き部６の一部に磁性体３１を配置することによって可動子４を吸着する吸着力が調整され得る。なお、磁路Ｍ４（図６）に対応する磁路の磁気抵抗が小さくなるため釈放電流は減少する。
【００４９】
また、上記では、永久磁石２が円筒形状に形成されているが、図１０に示す変形例４のように永久磁石２は矩形形状に形成されていてもよい。図１０を参照して、変形例４ではヨーク３は、ヨーク３と可動子４との間の空間に通じる開口部４１を有している。永久磁石２が開口部４１を通じてヨーク３と可動子４との間に着脱可能に配置されている。
【００５０】
永久磁石２が円筒形状に形成されている場合には、開口部４１から永久磁石２を着脱することは難しいが、永久磁石２を矩形形状に形成することによって開口部４１から永久磁石２を容易に着脱することができる。これにより、永久磁石２を容易に変更することができるため可動子４を吸着する吸着力が容易に調整され得る。
【００５１】
次に、本発明の一実施の形態の釈放形電磁装置の作用効果について説明する。
本発明の一実施の形態によれば、ヨーク３が永久磁石２の側部２ａと対向する部分に切り欠き部６を有するため、永久磁石２を径方向に大きくしても、永久磁石２とヨーク外側部３ａの側面部３ａ１とが接しない。そのため永久磁石２の磁束がヨーク外側部３ａの側面部３ａ１に漏洩しないので永久磁石２を径方向に大きくすることができる。
【００５２】
永久磁石２が発生する磁束量は、磁石断面積Ｓと起磁力Ｈと磁石長Ｌとの積（Ｓ・Ｈ・Ｌ）で表される。したがって、永久磁石２が径方向に大きくなると磁石断面積Ｓを大きくなるので磁束量が増加する。
【００５３】
したがって、永久磁石２の磁石断面積Ｓを大きくすることができるので磁束量を増やすことができる。これにより、永久磁石２による吸着力を大きくすることができる。永久磁石２を径方向に大きくすることができるので永久磁石２を軸方向に大きくする必要がない。よって、永久磁石２が軸方向に大きくならないため釈放形電磁装置１が永久磁石２の軸方向に大きくならない。そのため従来の釈放形電磁装置１に比べて小型化することができる。
【００５４】
また、切り欠き部６は永久磁石２の他方側の側部２ａの全面が露出する大きさに形成されており、ヨーク内側部３ｃは永久磁石２上に位置する部分を有している。これにより、永久磁石２の磁束がヨーク外側部３ａの側面部３ａ１に漏洩しないので永久磁石２を径方向に大きくすることができる。また、永久磁石２からヨーク外側部３ａの側面部３ａ１に入る磁束の磁気抵抗を減少することができるので永久磁石２を小型化することができる。
【００５５】
また、磁性体からなる接極子５がヨーク３に対して着脱可能に構成されている。接極子５が吸着磁路において可動子４とヨーク３との間に配置されている。これにより、接極子５を着脱することおよび接極子５の形状、材質などを変更することができるため可動子４を吸着する吸着力を調整することができる。吸着面の高さを変更することにより吸着磁路の磁気抵抗を変化させることができるため可動子４を吸着する吸着力を調整することができる。よって、接極子５によって釈放形電磁装置１の種類に対応して使用されるばね力に応じて、吸着力を調整することができる。
【００５６】
また、永久磁石２を交換せずに接極子５を着脱することにより可動子４を吸着する吸着力を調整することができる。よって、分解および再組み立てが不要であるため作業工程を簡素化することができる。これにより、コストを低減することができる。
【００５７】
また、非磁性体７がヨーク３に対して着脱可能に構成されている。非磁性体７が吸着磁路において可動子４とヨーク３との間に配置されている。これにより、非磁性体７を着脱することおよび非磁性体７の形状、材質などを変更することができるため可動子４を吸着する吸着力を調整することができる。よって、非磁性体７によって釈放形電磁装置１の種類に対応して使用されるばね力に応じて、吸着力を調整することができる。
【００５８】
また、永久磁石２を交換せずに非磁性体７を着脱することにより可動子４を吸着する吸着力を調整することができる。よって、分解および再組み立てが不要であるため作業工程を簡素化することができる。これにより、コストを低減することができる。
【００５９】
また、可動子４より径の小さな磁性材２１がヨーク３に対して着脱可能に構成されている。磁性材２１が吸着磁路において可動子４とヨーク３との間に配置されている。これにより、磁性材２１の径や厚みなどの形状を変更することで吸着面の磁気抵抗を変化させることができるため可動子４を吸着する吸着力を調整することができる。よって、磁性材２１によって釈放形電磁装置１の種類に対応して使用されるばね力に応じて、吸着力を調整することができる。
【００６０】
また、永久磁石２を交換せずに磁性材２１を着脱することにより可動子４を吸着する吸着力を調整することができる。よって、分解および再組み立てが不要であるため作業工程を簡素化することができる。これにより、コストを低減することができる。
【００６１】
また、ヨーク３に対して着脱可能な磁性体３１が切り欠き部６の一部に配置されている。これにより、切り欠き部６の面積を変更することができるため磁路Ｍ３の磁気抵抗を変更することができるので可動子４を吸着する吸着力を調整することができる。よって、磁性体３１によって釈放形電磁装置１の種類に対応して使用されるばね力に応じて、吸着力を調整することができる。
【００６２】
また、永久磁石２を交換せずに磁性体３１を着脱することにより可動子４を吸着する吸着力を調整することができる。よって、分解および再組み立てが不要であるため作業工程を簡素化することができる。これにより、コストを低減することができる。
【００６３】
また、ヨーク３は、ヨーク３と可動子４との間の空間に通じる開口部４１を有している。永久磁石２が開口部４１を通じてヨーク３と可動子４との間に着脱可能に配置されている。これにより、永久磁石２を開口部４１を通じて容易に変更することができるため可動子４を吸着する吸着力を容易に調整することができる。よって、永久磁石２によって釈放形電磁装置１の種類に対応して使用されるばね力に応じて、吸着力を調整することができる。
【００６４】
また、分解および再組み立てをせずに永久磁石２を変更することにより可動子４を吸着する吸着力を調整することができる。よって、作業工程を簡素化することができる。これにより、コストを低減することができる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００６６】
本発明は、磁束がヨークおよび可動子の内部を通って永久磁石に戻る吸着磁路を有する釈放形電磁装置に特に有利に適用され得る。
【符号の説明】
【００６７】
１  釈放形電磁装置、２  永久磁石、３  ヨーク、４  可動子、５  接極子、６  切り欠き部、７  非磁性体、８  ボビン、９  コイル、１０  取り外しばね、１１  ばね押さえ、２１  磁性材、３１  磁性体、４１  開口部。
【図１】
2010287674.tif 000003
【図２】
2010287674.tif 000004
【図３】
2010287674.tif 000005
【図４】
2010287674.tif 000006
【図５】
2010287674.tif 000007
【図６】
2010287674.tif 000008
【図７】
2010287674.tif 000009
【図８】
2010287674.tif 000010
【図９】
2010287674.tif 000011
【図１０】
2010287674.tif 000012